(57)【要約】【課題】光合分波器を備えた光ファイバ伝送路にフューズストッパを設けることにより、ファイバフューズの進行を阻止することができる光増幅伝送システムを提供する。【解決手段】信号光を伝搬させる入力側信号伝送路１２と、前記入力側信号伝送路１２から光カプラ１８を介して分岐され、前記信号光と合波して前記信号光を増幅させる励起光を伝搬する励起光伝送路２０と、前記励起光伝送路２０に、前記励起光を出力する光増幅用励起光源２４と、前記入力側信号伝送路１２及び前記入力側信号伝送路１２に前記光カプラ１８を両側から挟む部位のうち、少なくとも１個所の部位に介挿されたフューズストッパ２６とを具備したことを特徴とする光増幅伝送システム１０。【選択図】　　　図１
2004134660.tif 000002
【特許請求の範囲】
【請求項１】
信号光を伝搬させる信号用光ファイバ伝送路と、
前記信号用光ファイバ伝送路から第１光合分波器を介して分岐され、前記信号光と合波して前記信号光を増幅させる励起光を伝搬する励起用光ファイバ伝送路と、
前記励起用光ファイバ伝送路に、前記励起光を出力する光増幅用励起光源と、
前記励起用光ファイバ伝送路上及び前記信号用光ファイバ伝送路上の前記第１光合分波器を挟む部位のうち、少なくとも一個所の部位に介挿された光エネルギ密度低減路と
を具備したことを特徴とする光増幅伝送システム。
【請求項２】
前記光エネルギ密度低減路は、前記光ファイバ伝送路を分断し、前記光ファイバ伝送路の両分断端間に確保された光伝搬空間を含むことを特徴とする請求項１記載の光増幅伝送システム。
【請求項３】
前記光エネルギ密度低減路は、前記光伝搬空間に配置され、前記光ファイバ伝送路の前記両分断端間を光学的に結合するレンズ系を更に備えることを特徴とする請求項２記載の光増幅伝送システム。
【請求項４】
前記レンズ系は、グレーデッドインデックスファイバ、集光レンズ及び一対のコリメートレンズの何れかを含むことを特徴とする請求項３記載の光増幅伝送システム。
【請求項５】
前記レンズ系を構成する光部品は、前記光伝搬空間中にて前記光ファイバ伝送路の分断端との間又は前記光部品相互間に１ｍｍ以上の伝搬距離を確保した部分を有することを特徴とする請求項３記載の光増幅伝送システム。
【発明の詳細な説明】
【０００１】
【発明の属する技術分野】
本発明は、信号光を増幅して伝送する光増幅伝送システムに関する。
【０００２】
【関連する背景技術】
この種の光増幅伝送システムは、信号光を伝搬させる入力側信号光伝送路と、この入力側光信号伝送路に光結合部を介して接続された出力側信号光伝送路と、入力側信号光伝送路の途中に設けられた光増幅部とを備え、入力側及び出力側信号光伝送路は共に光ファイバから成る。
より詳しくは、光増幅部は、入力側信号光伝送路から光結合部を介して分岐された励起光伝送路と、この励起光伝送路に光結合部を介して接続された励起光源を備え、この励起光源からの励起光を信号光に対して光伝送路に合波させて信号光の増幅を行う。ここで、励起光源は励起用レーザ光源から成り、励起光としてのレーザ光を出力し、又、励起光伝送路もまた光ファイバから成る。
【０００３】
光伝送路において発生するファイバフューズの進行を防止するために、例えば、コンポーネントファイバより成る光学部品が光伝送システム中に設けられる。このコンポーネントファイバは、信号光伝送路の光ファイバよりコア径を大きく且つ一定にすることにより、ファイバフューズを発生させる光パワーの閾値が信号光伝送路の光ファイバより大きく且つ所定値より小さくされている（例えば、特許文献１参照。）。
【０００４】
或いは、例えばコンポーネントファイバにおいては、コア径が漸次拡大するように形成され、このコア径の拡大によってファイバの長手方向における光パワーの閾値が大きくなるようにしている（例えば、特許文献１参照。）。
このようなコンポーネントファイバのコア径の拡大により、この拡大されたコアの中ではファイバフューズの発生閾値がコアを伝搬する信号光のパワーより大きくなっている。したがって、信号光伝送路を伝搬してきたファイバフューズの進行は、このコンポーネントファイバ部分で防止される。
【０００５】
【特許文献１】
米国公開特許Ｎｏ．２００２１１４５５４
【０００６】
【発明が解決しようとする課題】
上述した光増幅伝送システムの場合、信号光の伝送距離を長く確保するには信号光を大きく増幅させる必要があり、励起光又は増幅後の信号光は高い光パワーを有する。
高光パワーの励起光又は信号光がその伝送路を伝搬されると、特に前述した光結合部にて、伝送路における光ファイバのコアが溶融する事態、所謂ファイバフューズが発生する。このようなファイバフューズは一旦発生してしまうと、その発生箇所に留まらず、光ファイバの長さ方向に進行し、光増幅部、即ち、光増幅伝送システム全体の損傷を招く虞がある。
【０００７】
上述のファイバフューズの現象について詳述すると、高パワーの励起光又は信号光が伝搬される際、光結合部端面での光エネルギ密度も必然的に高くなる。このため、光結合部に汚れ等の異物、微細な傷等が存在すると、局所的に光エネルギーの集中による発熱が起こり、その発熱がトリガーとなってファイバフューズが生じる。この発熱が大きい場合、コアの溶融が引き起こされ、このコアの溶融は光源側に向かって光ファイバの長手方向に進行する。そして、コアの溶融が光増幅部まで達すると、光増幅部が破壊され、光増幅伝送システムとしての機能が損なわれてしまうだけでなく、システムの復旧がより困難になり、多大な損失を招くことになる。
【０００８】
このようなファイバフューズの進行を防止する技術は、例えば上記の特許文献により開示されている。その特許文献の開示内容は、伝送路の光ファイバに比べてコンポーネントファイバのコア径を大きくして、コンポーネントファイバにおけるファイバフューズの発生閾値を大きくすることにより、ファイバフューズの伝搬を防止するものである。
【０００９】
しかし、このようなコンポーネントファイバを用いる場合には、次のような問題がある。
（１）コンポーネントファイバは、伝送路の光ファイバの途中に、光ファイバに間断なく直接接続するように設けられているため、伝送路で発生してコンポーネントファイバに伝搬が到達したファイバフューズはそのコンポーネントファイバ中を直接伝搬し得る。即ち、コンポーネントファイバがファイバフューズを防止するための光パワー閾値を上回るコア径を有しているとしても、そのコンポーネントファイバのコア内部であってファイバフューズの伝搬経路に更にファイバフューズのトリガー、例えば異物、傷或いは溶融箇所が存在すれば、ファイバフューズはそのトリガーを介してコンポーネントファイバ中を通過して更に伝搬することが起こり得る。
【００１０】
（２）コンポーネントファイバと伝送路の光ファイバのコア径が互いに異なる場合は、一般に、それらのモードフィールド径も互いに異なっており、モードフィールド径が互いに異なる光ファイバ同士を接続すると、接続損失が発生する。
（３）コア径が互いに異なる光ファイバ同士、即ちコンポーネントファイバと伝送路の光ファイバは融着接続される必要があるが、前述（２）の接続損失を低減するためには、同径の光ファイバ同士を融着する通常の方法或いは条件をそのまま用いることはできない。一般に、例えば、通常の融着方法或いは条件を改善して適用できるとしても、その適用に際して、工数が増して煩雑及びコスト高になる。
【００１１】
（４）伝送路の光ファイバからコンポーネントファイバへの接続においてコア径が階段状に大きくなる場合に、コンポーネントファイバの長さが考慮されていない。それ故、通常の伝送において、伝送路の光ファイバからコンポーネントファイバの一端面に入射してコンポーネントファイバを伝搬した信号光が他端面から出射する際に、光結合の効率が低下することがある。
【００１２】
本発明は、上記問題を解決するためになされたものであり、信号光又は励起光の伝送路となる光ファイバのコアにファイバフューズが発生しても、このファイバフューズの進行を効果的に防止し、且つ、信号光、および励起光伝送路を伝搬する、信号光や励起光の損失を最小限に留めることができる光増幅伝送システム及び光増幅伝送システムの製造方法を提供することを目的とする。
【００１３】
【課題を解決するための手段】
上記目的を達成するために、本発明の光増幅伝送システムは、信号光を伝搬させる信号用光ファイバ伝送路と、前記信号用光ファイバ伝送路から第１光合分波器を介して分岐され、前記信号光と合波して前記信号光を増幅させる励起光を伝搬する励起用光ファイバ伝送路と、前記励起用光ファイバ伝送路に、前記励起光を出力する光増幅用励起光光源と、前記励起用光ファイバ伝送路上及び前記信号用光ファイバ伝送路上の前記第１光合分波器を挟む部位のうち、少なくとも１個所の部位に介挿された光エネルギ密度低減路とを具備したことを特徴とする光増幅伝送システムを提供する（請求項１）。
【００１４】
より具体的には、前記光エネルギ密度低減路は、前記光ファイバ伝送路を分断し、前記光ファイバ伝送路の両分断端間に確保された光伝搬空間を含む（請求項２）。
前記光エネルギ密度低減路は、前記光伝搬空間に配置され、前記光ファイバ伝送路の前記両分断端間を光学的に結合するレンズ系を更に備える（請求項３）。
【００１５】
又、前記レンズ系は、グレーデッドインデックスファイバ、集光レンズ、及び一対のコリメートレンズの何れかを含む（請求項４）。
或いは、前記レンズ系を構成する光部品は、前記光伝搬空間中にて前記光ファイバ伝送路の分断端との間又は前記光部品相互間に１ｍｍ以上の伝搬距離を確保した部分を有する（請求項５）。
【００１６】
このような光増幅伝送システムによれば、光合分波器を備えた光ファイバ伝送路に、光を所定時間入射して劣化度合を検出した上で判定された良好な性能をもつファイバフューズストッパを設けることにより、増幅された信号光又は励起光の伝送路となる光ファイバにファイバフューズが発生しても、ファイバフューズの進行を阻止することが可能となる。又、ファイバフューズストッパ製造時の予測せざる事態による問題でファイバフューズストッパ自身がフューズの発生要因になることがない様な信頼度の高いものになる。
【００１７】
【発明の実施の形態】
以下に、本発明の光増幅伝送システム１０に係る一実施形態を図１に基づいて詳述する。
図１は光増幅伝送システム１０の概略図である。光増幅伝送システム１０は入力側信号伝送路１２を備え、この入力側信号伝送路１２内をレーザ光からなる信号光が伝搬される。
【００１８】
入力側信号伝送路１２は光接続部１４を介して出力側信号伝送路１６に接続され、光接続部１４は光コネクタから成っている。
入力側信号伝送路１２からは光結合部としての光カプラ１８を介して励起光伝送路２０が分岐されており、この励起光伝送路２０は光結合部としての光カプラ２２を介して複数の光増幅用励起光源２４に接続されている。
【００１９】
各光増幅用励起光源２４は半導体レーザモジュール（ＬＤモジュール）から成り、レーザ光からなる励起光をそれぞれ出力する。出力された励起光は光カプラ２２、励起光伝送路２０及び光カプラ１８を介して入力側信号伝送路１２に伝搬され、入力側信号伝送路１２内を伝搬する信号光を励起、つまり、増幅する。
ここで、前述した入力側及び出力側信号伝送路１２，１４並びに励起光伝送路２０は、例えばシングルモードファイバ（ＳＭＦ）等からなる光ファイバである。
【００２０】
励起光伝送路２０にはフューズストッパ２６が介挿され、そして、入力側信号伝送路１２の光カプラ１８を挟む両側にもフューズストッパ２６がそれぞれ介挿されている。
尚、励起光を信号光伝送路に合波する光合波器として光カプラ１８が使用されたが、これと同等の機能を有するものとして、ファイバ融着型、若しくは誘電体多層膜フィルタなどを使用した光合波器、及び、ファイバグレーティングと光サーキュレータなどを組み合わせて使用してもよい。また、複数の励起光を合波する光カプラ２２と同等の機能を有する光合波器として、偏波合成器や誘電体多層膜フィルタを使用した光合波器、又、マッハツェンダ型の光導波路などを用いた光合波器などを使用することができる。
【００２１】
各フューズストッパ２６は同一の機能を有するので、励起光伝送路２０に介挿された第１実施例のフューズストッパ２６について、図２を参照しながら説明する。
励起光伝送路２０の光ファイバはフューズストッパ２６にて、光増幅用励起光源２４側の上流側光ファイバ部分２０ａと、光カプラ１８側の下流側光ファイバ部分２０ｂとに分離されている。尚、参照符号２８は光ファイパ部分２０ａ，２０ｂの分離端部に接着されたフェルールをそれぞれ示す。
【００２２】
フューズストッパ２６にて、光ファイバ部分２０ａ，２０ｂの分離端は所定の間隔を存した状態で同一の光軸上に配置されている。そして、フェルール２８間の光軸上には第１レンズ３０及び第２レンズ３２がそれぞれ配置されており、これら第１及び第２レンズ３０，３２間には１．０ｍｍ以上の間隔が確保されている。
【００２３】
上述の構成からなるフューズストッパ２６は、上流側光ファイバ部分２０ａからの出射光（励起光又は信号光）を第１レンズ３０によりコリメート光に変換した後、第２レンズ３２によりコリメート光を集光し、下流側光ファイバ部分２０ｂに入射させる。従って、フューズストッパ２６は、上流側光ファイバ部分２０ａと下流側光ファイバ部分２０ｂとの間に、励起光の空間伝搬経路を有している。
【００２４】
ここで、第１レンズ３０にて変換されるコリメート光の径Ｄは１２０μｍ以上、より好ましくは３６０μｍ以上確保され、そして、下流側光ファイバ部分２０ｂに入射する集光径ｄは、そのコア径をｅとすれば、ｅ＜ｄ＜Ｄの範囲にあるのが好ましい。また、第１レンズ３０若しくは第２レンズ３２とフェルールを一体にしたファイバコリメータを用いてもよい。
【００２５】
尚、入力側信号光伝送路１２側のフューズストッパ２６は、入力側信号光伝送路１２を構成する光ファイバを前述の場合と同様に、上流側光ファイバ部分２０ａと下流側光ファイバ部分２０ｂとに分離することで、挿入されている。
以上のように、フューズストッパ２６は、入射側信号光伝送路１２及び励起光伝送路２０において励起光又は信号光の空間伝搬経路を形成するとともに、励起光又は信号光を発散光およびコリメート光にすることによりフューズストッパ２６内で光の光エネルギー密度を低下させる。それ故、ファイバフューズが入射側信号光伝送路１２或いは励起光伝送路２０を伝搬しても、フューズストッパ２６にファイバフューズが到達した時点で、その進行を阻止することができる。
【００２６】
更に、上述のように、第１及び第２レンズ３０，３２間に１．０ｍｍ以上の間隔が確保されていることにより、フューズストッパ２６に到達したファイバフューズの伝搬は第１及び第２レンズ３０，３２間にて完全に阻止される。
図３は、第２実施例のフューズストッパ３４を示す。
このフューズストッパ３４は、第１及び第２レンズ３０，３２の代わりに、１個のレンズ３６が使用されている。このフューズストッパ３４によれば、上流側光ファイバ部分２０ａの端面からの出射光（励起光又は信号光）はレンズ３６により集光して下流側光ファイバ部分２０ｂに入射される。
【００２７】
即ち、フューズストッパ３４は、入射側信号光伝送路１２及び励起光伝送路２０において光の空間伝搬経路を形成すると共に、励起光又は信号光をコリメート光にすることによりフューズストッパ３４内で励起光又は信号光のエネルギ密度を低下させる。それ故、ファイバフューズが入射側信号光伝送路１２又は励起光伝送路２０を伝搬しても、フューズストッパ２６にファイバフューズが到達した時点で、その進行を阻止することができる。また、空間伝搬経路で光が集光する場合においても、空間伝搬経路でファイバフューズを阻止することができる。
【００２８】
図４は、第３実施例のフューズストッパ３８を示す。
このフューズストッパ３８は、第１実施例における第１及び第２レンズ３０，３２の代わりに、第１及び第２ファイバ要素４０，４２を使用している。これら第１及び第２ファイバ要素４０，４２は上流側及び下流側光ファイバ部分２０ａ，２０ｂの端面に同軸にして溶着されている。より詳しくは、第１及び第２ファイバ要素４０，４２は、入射された前記信号光又は前記励起光を収束距離（Ｐ／２）にて収束させるグレーデッドインデックスファイバ（ＧＩファイバ）の一部から成り、第１及び第２ファイバ要素４０，４２の長さのそれぞれは、ｎｘＰ／２＋Ｐ／４（ｎは０或いは自然数）の長さを有する。尚、ＧＩファイバの一部から成る第１及び第２ファイバ要素４０，４２はＳＭＦにおけるコア径の５倍程度のコア径を有する。このＧＩファイバにおいては、コアの軸線からクラッドとの境界に向かって徐々に屈折率が低下するような軸対称の屈折率分布を持ち、この屈折率分布がレンズ効果を発揮する。
【００２９】
従って、上述のフューズストッパ３８によれば、上流側ファイバ部分２０ａからの出射する励起光又は信号光は第１ファイバ要素４０によりそのビーム径が拡大される。続いて、この励起光又は信号光は、第１及び第２ファイバ要素４０、４２間の空間をコリメート光として伝搬し、第２ファイバ要素４２によりコリメート光は上流側ファイバ部分２０ａから出射されたときと同位相で下流側光ファイバ部分２０ｂに入射される。
【００３０】
即ち、フューズストッパ３８は、入射側信号光伝送路１２および励起光伝送路２０においてレーザ光の空間伝搬経路を形成すると共に、励起光又は信号光の径を拡大してコリメート光にすることにより、フューズストッパ３８内で励起光又は信号光のエネルギ密度を低下させる。それ故、ファイバフューズが入射側信号光伝送路１２或いは励起光伝送路２０を伝搬しても、フューズストッパ３８にファイバフューズが到達した時点で、その進行を阻止することができる。
【００３１】
図５は、第５実施例のフューズストッパ４４を示す。
このフューズストッパ４４は、第１実施例のフューズストッパ２６に光アイソレータ４６を付加した構成を有し、この光アイソレータ４６は第１レンズ３０と第２レンズ３２との間に挿入されている。そして、フューズストッパ４４において、光アイソレータ４６と第１レンズ３０との間には、１ｍｍ以上の空間が確保されている。
【００３２】
上述のフューズストッパ４４によれば、第１実施例の場合と同様に、上流側光ファイバ部分２０ａから出射した励起光又は信号光を第１レンズ３０によりコリメート光に変換した後、第２レンズ３２によりコリメート光を集光し、下流側光ファイバ部分２０ｂに入射させる。更に、フューズストッパ４４によれば、光アイソレータ４６は下流側光ファイバ部分２０ｂから戻る励起された信号光及び／若しくは励起光の反射経路を上流側光ファイバ２０ａの軸線から偏位させる。
【００３３】
即ち、フューズストッパ４４は、入射側信号光伝送路１２及び励起光伝送路２０において励起光又は信号光の空間伝搬経路を形成する。そして、励起光又は信号光をコリメート光によりフューズストッパ２６内で励起光の光エネルギー密度を低下させる。それ故、ファイバフューズが入射側信号光伝送路１２或いは励起光伝送路２０を伝搬しても、フューズストッパ２６にファイバフューズが到達した時点で、その進行を阻止することができる。
【００３４】
更に、上述のように、光アイソレータ４６と第１レンズ３０との間に１．０ｍｍ以上の間隔が確保されていることにより、フューズストッパ２６に到達したファイバフューズの伝搬は光アイソレータ４６と第１レンズ３０との間にて完全に阻止される。
図６は、第４実施例のフューズストッパ４８を示す。
【００３５】
このフューズストッパ４８は、上流側光ファイバ部分２０ａと下流側光ファイバ部分２０ｂとの間を接続するファイバ要素５０を有する。このファイバ要素５０もまたＧＩファイバの一部からなり、ｎｘＰ／２（ｎは０或いは自然数）の長さを有する。ファイバ要素５０も又、ＳＭＦにおけるコア径の５倍程度のコア径を有する。
【００３６】
上述のフューズストッパ４８によれば、ＧＩファイバがレンズ効果を有するために、上流側ファイバ部分２０ａから出射した励起光又は信号光はファイバ要素５０内でビーム径が拡大して伝搬される。続いて、このビーム径が拡大した励起光又は信号光は、上流側光ファイバ部分２０ａから出射されたときと同じビーム形で収束し、下流側光ファイバ部分２０ｂに入射される。
【００３７】
即ち、フューズストッパ４８は、入射側信号光伝送路１２および励起光伝送路２０で励起光又は信号光の径を拡大することにより、フューズストッパ４８内で励起光の光エネルギー密度を低下させる。それ故、ファイバフューズが入射側信号光伝送路１２或いは励起光伝送路２０を伝搬しても、フューズストッパ４４にファイバフューズが到達した時点で、その進行を阻止することができる。それだけではなく、フューズストッパ４８内で径が拡大したビームが下流側光ファイバ部分２０ｂの入射端で収束してから再結合するので伝送損失を最小限に抑えることができる。
【００３８】
次に、光増幅伝送システム１０の製造方法について述べる。
先ず、フューズストッパはレーザ光を入射して特性検査がされる。このときのレーザ光は、その光パワーが５００ｍＷに設定され、所定時間以上連続的に入射されることが好ましい。この検査においては、所定の基準を設け、フューズストッパから出射されるレーザ光のパワーが低下しない場合、或いは、低下したとしても、フューズストッパからの出射レーザ光の光パワーが入射光に対して９０％以上である場合に、合格判定とする。尚、このレーザ光を入射させる際のフューズストッパの劣化の一因としては、例えば、フューズストッパの一部に介在するごみなどの異物が挙げられる。フューズストッパの一部に異物が介在すると、局所的に発熱が生じ、それがトリガーとなってファイバフューズが生じる。これは、延いてはフューズストッパの著しい破損などにつながる。このように劣化が著しい場合は、光増幅伝送システム１０にフューズストッパを設置しても本来のフューズストッパとしての性能を発揮できないことは、いうまでもないだけでなく、ファイバフューズストッパがファイバフューズの発生源となり、システム破損を招くことがある。従って、このような検査工程を設けることにより、通常の目視では確認することができない微細な異物があった場合でも、それを予め取除くことができ、そのため誤ってファイバフューズを発生させることのない、信頼度の高いファイバフューズストッパを得ることができる。
【００３９】
このような検査で合格判定を得たフューズストッパは、半導体レーザモジュール、光ファイバ、光カプラ及び光コネクタを備える光増幅伝送システムの所定の位置に設置される。
このようにして、本発明では、フューズストッパにレーザ光を入射することにより予めフューズストッパの特性が検査され、良好な性能をもつフューズストッパを備える光増幅伝送システム１０の製造方法を提供している。
【００４０】
以上のように本実施形態に係る光増幅伝送システムおよび光増幅伝送システムの製造方法によれば、より信頼度の高い良好な性能をもつフューズストッパを備え、信号光又は励起光の伝送路となる光ファイバのコアにファイバフューズが発生しても、このファイバフューズの進行をフューズストッパにより効果的に防止することができる光増幅伝送システムおよび光増幅伝送システムの製造方法を提供することができる。
【００４１】
本実施形態では、第１レンズと第２レンズとの間、或いは、光アイソレータと第１レンズとの間に１．０ｍｍ以上の距離を設けたが、これに限定されるものではない。例えば、励起光伝送路の分断端とＧＩファイバより成るファイバ要素との間、励起光伝送路の分断端とレンズとの間、第１及び第２ファイバ要素の間、光アイソレータと第２レンズとの間、或いは、光アイソレータを構成する光部品中に１．０ｍｍ以上の距離を設けてもよい。
【００４２】
本実施形態では、フューズストッパは励起光伝送路と入力側光伝送路の一部に介挿されたが、介挿場所はこれに限定されるものではない。また、本実施形態では、フューズストッパは３個の介挿されたが、その個数も３個に限定されるものではない。
本実施形態では、コアを有するＧＩファイバを用いたが、それに替えて、コアとクラッドの境界がない、所謂コアレス（全体がコアであることと同義）のＧＩファイバを用いてもよい。
【００４３】
又、本実施形態では、フューズストッパにおいてコリメートレンズ間に配置された光部品として光アイソレータを用いたが、コリメート光路中で機能する光部品であれば光アイソレータ以外の部材でもよい。例えば、光アイソレータの替わりにフィルタ等を用いてもよい。
【００４４】
【発明の効果】
本発明の光増幅伝送システム（請求項１〜５）によれば、光合分波器を備えた光ファイバ伝送路に良好な性能をもつフューズストッパを設けることにより、増幅された信号光又は励起光の伝送路と成る光ファイバにファイバフューズが発生しても、ファイバフューズの進行を阻止する極めて有効な効果が発揮できる。
【図面の簡単な説明】
【図１】本発明の一実施形態に係る光増幅伝送システムを示す概略図である。
【図２】本発明の第１の実施形態に係るフューズストッパを示す図である。
【図３】本発明の第２の実施形態に係るフューズストッパを示す図である。
【図４】本発明の第３の実施形態に係るフューズストッパを示す図である。
【図５】本発明の第４の実施形態に係るフューズストッパを示す図である。
【図６】本発明の第５の実施形態に係るフューズストッパを示す図である。
【符号の説明】
１０　光増幅伝送システム
１２　入力側信号光伝送路
１４　光接続部
１６　出力側信号光伝送路
１８　光カプラ
２０　励起光伝送路
２２　光カプラ
２４　光増幅用励起光源
２６　フューズストッパ
３０　第１レンズ
３２　第２レンズ
３４　フューズストッパ
３６　レンズ
３８　フューズストッパ
４０　第１ファイバ要素
４２　第２ファイバ要素
４４　フューズストッパ
４６　光アイソレータ
４８　フューズストッパ
５０　ファイバ要素
【図１】
2004134660.tif 000003
【図２】
2004134660.tif 000004
【図３】
2004134660.tif 000005
【図４】
2004134660.tif 000006
【図５】
2004134660.tif 000007
【図６】
2004134660.tif 000008